(57)【特許請求の範囲】
【請求項１】
シート本体と、シート本体の中央部に形成された開口部と、該開口部の内縁部から切り離される切離部とを備えた便座シートであって、
前記切離部は、前記開口部の右斜め後側および／または左斜め後側の前記内縁部において前記シート本体に連結された切離用連結部を備えるとともに、後側縁部が右斜め後方に突出した右側山型部と左斜め後方に突出した左側山型部とが並んだ態様に形成されていることを特徴とする便座シート。
【請求項２】
前記切離部は、平面視ハート形状に形成されている請求項１に記載の便座シート。
【請求項３】
前記切離用連結部は、前記切離部の重心位置を中心として、前記切離部の最前端から９０度から１８０度の範囲内に位置している請求項１または請求項２に記載の便座シート。
【請求項４】
前記切離用連結部は、１ｍｍ〜５ｍｍの範囲内の長さに形成されている請求項１から請求項３のいずれかに記載の便座シート。
【請求項５】
前記切離部は、前記開口部の内縁部に垂下用連結部が設けられており、前記切離用連結部が前記開口部の内縁部から切り離されることにより、前記垂下用連結部から垂れ下がる請求項１から請求項４のいずれかに記載の便座シート。
【請求項６】
前記垂下用連結部は、前記開口部の右斜め前側または左斜め前側の前記内縁部に設けられている請求項５に記載の便座シート。
【発明の詳細な説明】
【技術分野】
【０００１】
本発明は、洋式便器の便座に載置して使用する便座シートに関するものである。
【背景技術】
【０００２】
公共のトイレで洋式便器を使用する場合、使用者の肌が直接接触する便座は清潔、衛生的に維持されていることが要求されている。
【０００３】
しかしながら、公共のトイレに設置されている洋式便器は、便座を清潔、衛生的に維持するための特別の対策を施されたものは極めてまれであり、使用者は自分の肌が便座に直接に接触するのを防止するため、紙製の便座シートなどを便座に載せて使用するのが一般的である。
【０００４】
そこで、特許文献１に示すように、シート素材の中央部に、開口部又は開口部形成用の切り込み線が設けられた便座用シートにおいて、シート素材の開口部又は切り込み線を含む中央部分と、この中央部分の両側の開口部又は切り込み線のない外側部分とが重なるように、シート素材を所定方向の線分に沿って帯状に折り畳んだことを特徴とする便座用シートが提案されている。
【０００５】
この便座シートは、シートの中央部に馬蹄形の切り込み線で囲まれた切離部が設けられており、切離部がシート本体から垂下して前側または後側の便器内面に付着するため、用便後に切離部が洗浄水の流れに引き込まれて、引き込まれた切離部がシート本体を引き込み、便座シートを便座から自動的に排出することができるものである。
【先行技術文献】
【特許文献】
【０００６】
【特許文献１】特開２０００−１３９７７４号公報
【発明の概要】
【発明が解決しようとする課題】
【０００７】
しかしながら、上記便座シートは、包装袋から取り出され、切り込み線に沿ってシート本体から切離部が手で切り離され、シート本体の内側縁部から切離部が垂下された後、便座に載置される。
【０００８】
このため、使用者は、シート本体から切離部を切り離す際に、少しずつ位置をずらしながら切り込み線の両側を手で引っ張る動作を繰り返さなければならないため、便座シートの切離作業が面倒であった。
【０００９】
また、切離部をシート本体から垂下させるための垂下用連結部が存在する場合には、便座シートが載置される際に便座シートから切離部が垂下しているため、切離部が空気抵抗等により揺れる中、切離部が便器内面の所定箇所に付着するように狙いを定めながら便座シートを載置する必要があり、便座シートの載置作業が難しかった。
【００１０】
また、切離部が便器内面の予期せぬ箇所に付着してしまうと、載置後に切離部に引っ張られるようにしてシート本体が正規の位置からずれる虞があった。
【００１１】
さらに、使用者が切り込み線に沿って切離部を切り離すに際して、垂下用連結部までも誤って切り離してしまう虞もあった。
【００１２】
本発明は、上述の問題に鑑みてなされたものであり、シート本体から切離部を自動的に切り離すことができる便座シートの提供を目的とする。
【課題を解決するための手段】
【００１３】
本発明は、上記目的を達成するために、シート本体と、シート本体の中央部に形成された開口部と、該開口部の内縁部から切り離される切離部とを備えた便座シートであって、前記切離部は、前記開口部の右斜め後側および／または左斜め後側の前記内縁部において前記シート本体に連結された切離用連結部を備えることを特徴とする。
【００１４】
これによれば、切離部が事前に切り離されることなく便座シートが便座に載置された後、シート本体の後方部が便座に座る使用者の臀部から後方への圧力を受けることにより、切離用連結部が開口部の内縁部から切断されるため、シート本体から切離部を自動的に切り離すことができる。
【００１５】
また、前記切離部は、後側縁部が使用者の後側の臀部に沿う形状に形成されているのが好ましい。特に、後側縁部が右斜め後方に突出した右側山型部と左斜め後方に突出した左側山型部とが並んだ態様に形成されているのが好ましい。これによれば、シート本体の後方部は便座に座る使用者の臀部からより確実に後方への圧力を受けるため、切離用連結部が開口部の内縁部から切断され易くなる。
【００１６】
また、前記切離部は、平面視ハート形状に形成されているのが好ましい。これによれば、使用者は当該ハート形状をもって便座シートの前後を容易に把握することができるとともに、ハート形状による意匠的効果を発揮することができる。
【００１７】
また、前記切離用連結部は、前記切離部の重心位置を中心として、前記切離部の最前端から９０度から１８０度の範囲内に位置しているのが好ましい。これによれば、臀部の圧力が大きくなる位置に切離用連結部が位置するため、切離用連結部が開口部の内縁部から切断され易くなる。
【００１８】
また、前記切離用連結部は、１ｍｍ〜５ｍｍの範囲内の長さに形成されているのが好ましい。これによれば、切離用連結部が１ｍｍ以上の長さに形成されているため、切離部をシート本体に確実に仮留めすることができる。また、切離用連結部が５ｍｍ以下の長さに形成されているため、切離用連結部が開口部の内縁部から切断され易くなる。
【００１９】
また、前記切離部は、前記開口部の前側の前記内縁部に垂下用連結部が設けられており、前記切離用連結部が前記開口部の内縁部から切り離されることにより、前記切離部が前記垂下用連結部から垂れ下がるのが好ましい。これによれば、切離部が便器内面に確実に付着するため、用便後に切離部が洗浄水の流れに引き込まれて、引き込まれた切離部が垂下用連結部を介してシート本体を引き込み、便座シートを便座から自動的に排出することができる。
【００２０】
また、前記垂下用連結部は、前記開口部の右斜め前側または左斜め前側の前記内縁部に設けられているのが好ましい。これによれば、切離部は前記開口部の右斜め前側又は左斜め前側に配置されるため、使用者の尿が付着した切離部が使用者の視界に入ることや、使用者が男性である場合に切離部と使用者の身体が接触するといった使用者の不快を軽減することができる。
【発明の効果】
【００２１】
本発明によれば、切離部が事前に切り離されることなく便座シートが便座に載置された後、シート本体の後方部が便座に座る使用者の臀部から後方への圧力を受けることにより、切離用連結部が開口部の内縁部から切断されるため、シート本体から切離部を自動的に切り離すことができる。
【００２２】
而して、使用者は、少しずつ位置をずらしながら切り込み線の両側を手で引っ張る動作を繰り返さずとも、シート本体から切離部を自動的に切り離すことができるため、便座シートの切離作業が不要となり便利である。
【００２３】
また、切離部をシート本体から垂下させるための垂下用連結部が存在する場合でも、便座シートが載置される際に便座シートから切離部が垂下しないため、切離部が便器内面の所定箇所に付着するように狙いを定めずとも、便座シートを便座に単に載置するだけでよく、便座シートの載置作業が容易となる。
【００２４】
また、切離部が便器内面の予期せぬ箇所に付着することもないため、載置後に切離部に引っ張られるようにしてシート本体が正規の位置からずれることを防止することができる。
【００２５】
さらに、使用者が切り込み線に沿ってシート本体から切離部を手で切り離すこともないため、垂下用連結部までも誤って切り離してしまうことを防止することができる。
【図面の簡単な説明】
【００２６】
【図１】本発明に係る便座シートの平面図である。
【図２】図１の便座シートの垂下用連結部を示す拡大平面図である。
【図３】図１の便座シートの切離用連結部を示す拡大平面図である。
【図４】図１の便座シートの使用状態を示す斜視図である。
【図５】図１のＶ−Ｖ線による（ａ）使用者が便座に座る直前の状態を示す拡大縦断面図、（ｂ）使用者が便座に座る途中の状態を示す拡大縦断面図、（ｃ）使用者が便座に座った直後の状態を示す拡大縦断面図である。
【図６】図１の便座シートの使用状態を示す斜視図である。
【図７】図１の便座シートの使用状態を示す平面図である。
【図８】図１の便座シートの使用状態を示す縦断面図である。
【発明を実施するための形態】
【００２７】
次に、本発明に係る便座シートＳの一の実施形態について図１〜図８を参照しつつ説明する。なお、本発明において、使用者が便座Ｔの正面に立った場合において、便座Ｔの手前側（図１の下側）を「前側」、便座Ｔの奥側（図１の上側）を「後側」、便座Ｔの右側（図１の右側）を「右側」、前座Ｔの左側（図１の左側）を「左側」と定義する。なお、本明細書において、使用者とは、一般的な洋式便器の便座Ｔに座って排便することができる大きさの臀部Ｄを有する者、具体的には幅がおよそ２４０ｍｍ以上の臀部Ｄを有する者を指すものとする。
【００２８】
この便座シートＳは、洋式便所における用便に用いられ、使用者の肌が直接便座に触れるのを防止するために便座に載置される便座シートである。この便座シートＳは、長方形の薄い不織布または紙からなり、図１に示すように、シート本体１と、シート本体１の中央部に形成された開口部２と、開口部２の内縁部２１から垂れ下がる切離部３とを備える。
【００２９】
この前記シート本体１は、便座Ｔに載置される部分であって、便座Ｔを全面的に覆う大きさに形成されている。具体的には、縦の長さが４３５ｍｍ、横の長さが４００ｍに形成されている。
【００３０】
前記開口部２は、便を通過させて排出する排便孔であり、便座Ｔの開口部Ｔ１の周縁部を覆うように形成されている。具体的には、重心位置Ｇを通る縦の長さが２０３ｍｍ、重心位置Ｇを通る横の長さが１６５ｍｍ、最大の横の長さが２０５ｍｍに形成されている。
【００３１】
前記切離部３は、シート本体１から切り抜かれることにより開口部２と同大同形に形成されている。このため、切離部３とシート本体１とを一体的に形成することができ、便座シートＳの作成が容易となって、製造コストを低減することが可能となる。なお、以下の説明において、切離部３の重心位置Ｇより前側の周縁部を前側縁部３１といい、重心位置Ｇより後側の切離部３の周縁部を後側縁部３２という。
【００３２】
前記切離部３は、図１に示すように、右斜め前側の前側縁部３１に垂下用連結部３１１を備え、垂下用連結部３１１は開口部２の右斜め前側の内縁部２１に連結されている。また、切離部３は、シート本体１が便座Ｔに載置されたときに前側の便器内面Ｉに接触可能な長さに形成されている。このため、シート本体１を便座に載置した際、切離部３は、垂下用連結部３１１を基端として下方に垂れ下がり、便器の前側の便器内面Ｉに付着する。
【００３３】
また、本実施形態では、前記垂下用連結部３１１は、図２に示すように、その前端部が開口部２の内縁部２１の最前端３３１から１ｃｍ〜１５ｃｍ（Ｌ）の範囲内の後方に位置している。このため切離部３を前側の便器内面Ｉにより確実に付着させることができる。
【００３４】
また、前記垂下用連結部３１１は、図２に示すように、１ｃｍ〜１０ｃｍ（Ｗ）の範囲内の長さに形成されている。このため、垂下用連結部３１１の長さを１ｃｍ以上にすることにより、垂下用連結部３１１が洗浄水の流れに引き込まれたときに引きちぎれることを防止することができる。また、垂下用連結部３１１の長さを５ｃｍ以下にすることにより、垂下用連結部３１１が折れ曲がり易くなり、切離部３を前側の便器内面Ｉにより一層確実に付着させることができる。
【００３５】
また、前記垂下用連結部３１１は、長さ方向に沿って１ｍｍ程度のミシン目が３ｍｍ程度の間隔で形成されている。これによれば、垂下用連結部３１１が折れ曲がり易くなり、切離部３を前側の便器内面Ｉにより一層確実に付着させることができる。
【００３６】
また、前記切離部３は、図３に示すように、後側縁部３２が使用者の後側の臀部Ｄに沿う形状に形成されている。具体的には、後側縁部３２は、右斜め後方に突出した右側山型部３２１と左斜め後方に突出した左側山型部３２２とが並んだ態様に形成されている。より具体的には、図３に示すように、右側山型部３２１は、前側縁部３１の右側の後端から緩やかに左方へ湾曲しながら後方へ延びる第１伸長部３２１ａと、第１伸長部３２１ａの先端から緩やかに左方へ湾曲しながら左方へ延びる第２伸長部３２１ｂと、第２伸長部３２１ｂの先端から緩やかに前方へ湾曲しながら左斜め前方へ延びる第３伸長部３２１ｃを備えている。また、左側山型部３２２は、右側山型部３２１と左右対称に形成されており、前側縁部３１の左側の後端から緩やかに右方へ湾曲しながら後方へ延びる第１伸長部３２２ａと、第１伸長部３２１ａの先端から緩やかに右方へ湾曲しながら右方へ延びる第２伸長部３２２ｂと、第２伸長部３２２ｂの先端から緩やかに前方へ湾曲しながら右斜め前方へ延びる第３伸長部３２２ｃを備えている。この右側山型部３２１と左側山型部３２２は、後側縁部３２の中央において、緩やかな曲線状に形成された左右連結部３２ａにより連結されている。
【００３７】
また、前記切離部３は、右斜め後側および左斜め後側の後側縁部３２に切離用連結部３２３を備えている。切離用連結部３２３は、それぞれ長さが１ｍｍ〜５ｍｍ程度、好ましくは１ｍｍ〜３ｍｍ程度、さらに好ましくは１ｍｍ〜２ｍｍ程度に形成されている。そして、右斜め後側の切離用連結部３２３は開口部２の右斜め後側の内縁部２１に位置し、左斜め後側の切離用連結部３２３は開口部２の左斜め後側の内縁部２１に位置している。
【００３８】
これによれば、切離部３が事前に切り離されることなく便座シートＳが便座Ｔに載置された後、シート本体１の後方部１３が便座Ｔに座る使用者の臀部Ｄから後方への圧力を受けることにより、切離用連結部３２３が開口部２の内縁部２１から引き裂かれるように切断されるため、シート本体１から切離部３を自動的に切り離すことができる。しかも、切離部３の後側縁部３２が、使用者が便座Ｔに座る際の使用者の臀部Ｄの形状に沿うため、シート本体１の後方部１３は便座Ｔに座る使用者の臀部Ｄからより確実に後方への圧力を受けることができる。
【００３９】
また、本実施形態では、前記切離部３は、図１に示すように、切離用連結部３２３が切離部３の重心位置Ｇを中心として、切離部３の最前端部３３１からの角度θが９０度から１８０度の範囲内に位置している。好ましくは、切離用連結部３２３は、角度θが１００度から１８０度の範囲内に、より好ましくは、角度θが１３０度から１４０度の範囲内に位置しているのがよい。これによれば、臀部Ｄの圧力が大きくなる位置に切離用連結部３２３が位置するため、切離用連結部３２３が開口部２の内縁部２１から切断され易くなる。
【００４０】
また、前記切離用連結部３２３は、長さが１ｍｍ以上に形成されているため、切離部３をシート本体１に確実に仮留めすることができる。また、切離用連結部３２３は、長さが５ｍｍ以下、好ましくは３ｍｍ以下、さらに好ましくは２ｍｍ以下に形成されているため、切離用連結部３２３が開口部２の内縁部２１から一層切断され易くなる。
【００４１】
また、前記切離用連結部３２３は、長さ方向にミシン目が形成されてもよい。この場合、切離用連結部３２３が、開口部２の内縁部２１からより一層切断され易くなる。
【００４２】
また、前記切離部３は、前端部３３が鋭角をなして形成されている。これによれば、切離部３の前側が軽量になって切離部３の重心位置Ｇが後側に寄るため、切離部３が垂下用連結部３１１から垂れ下がり易くなる。特に、本実施形態では、前記切離部３は、上記のような形状の前側縁部３１と後側縁部３２を備えることにより平面視ハート形状に形成されている。このため、使用者は当該平面視ハート形状をもって便座シートＳの前後を容易に把握することができるとともに、ハート形状による意匠的効果を発揮する。
【００４３】
以下、便座シートＳの使用方法について述べる。
【００４４】
まず、製造者は、便座シートＳを折り畳み、一枚または複数枚を包装袋に包装してパッケージ化する。
【００４５】
次に、パッケージ化された便座シートＳを購入した使用者は、図４に示すように、洋式便所において、包装袋から便座シートＳを取り出して広げたあと、便座Ｔを覆うようにして載置する。このとき使用者は、便座シートＳの前側（平面視ハート形状の鋭角に形成せれている側）を便座Ｔの手前側とし、且つ便座シートＳの後側（平面視ハート形状の２個の山型部３２１、３２２が形成されている側）を便座Ｔの奥側として、便座シートＳの開口部２の内縁部２１が便座Ｔの開口部Ｔ１の内側に配置されるように平面方向の位置を調整する。特に本実施形態では、便座ヒートＳが平面視ハート形状に形成されているため、便座シートＳの前後を容易に把握することができ便利である。なお、この状態では、切離部３の切離用連結部３２３はシート本体１に連結された状態となっており、切離部３は未だ下方に垂れ下がっていない。
【００４６】
このため、本実施形態のように切離部３をシート本体１から垂下させるための垂下用連結部３１１が存在する場合でも、便座シートＳが載置される際に便座シートＳから切離部３が垂下しないため、切離部３が便器内面Ｉの所定箇所に付着するように狙いを定めずとも、切離部３を事前に切り離すことなく、便座シートＳを便座Ｔに単に載置するだけでよく、便座シートＳの載置作業が容易となる。
【００４７】
また、切離部３が便器内面Ｉの予期せぬ箇所に付着することもないため、載置後に切離部３に引っ張られるようにしてシート本体１が正規の位置からずれることを防止することができる。
【００４８】
次に、使用者は、着衣を降ろし、便座シートＳが載置された便座Ｔに座る。このとき、便座Ｔに臀部Ｄを下降させると、図５（ａ）に示すように、シート本体１の右側中央部１１が使用者の左脚の太ももＴＨと便座Ｔとの間で挟圧されて便座Ｔ上で固定されるとともに、シート本体１の左側中央部１２が右脚の太ももＴＨと便座Ｔとの間で挟圧されて便座Ｔ上で固定される。
【００４９】
そして、臀部Ｄをさらに下降させると、図５（ｂ）に示すように、シート本体１の後側縁部３２が、使用者の臀部Ｄに上方から覆われた状態となる。
【００５０】
そして、臀部Ｄをさらに下降させると、図５（ｃ）に示すように、シート本体１の右側中央部１１および左側中央部１２が使用者の左脚の太ももＴＨと便座Ｔとの間で挟圧されて便座Ｔ上で固定されている中、シート本体１の後方部１３が使用者の臀部Ｄと便座Ｔとの間で狭圧されながら後方（図５（ｃ）の矢印の方向）への圧力を受ける。このため切離用連結部３２３が開口部２の内縁部２１から引き裂かれるように切断されるため、シート本体１から切離部３を自動的に切り離すことができる。
【００５１】
したがって、使用者は、少しずつ位置をずらしながら切り込み線の両側を手で引っ張る動作を繰り返さずとも、シート本体１から切離部３を自動的に切り離すことができるため、便座シートＳの切離作業が不要となり便利である。
【００５２】
また、使用者が切り込み線に沿ってシート本体１から切離部３を手で切り離すこともないため、垂下用連結部３１１までも誤って切り離してしまうことを防止することができる。
【００５３】
そして、図６から図８に示すように、切離用連結部３２３がシート本体１から切り離されたことにより、切離部３が垂下用連結部３１１を基端として下方に垂れ下がり、前側の便器内面Ｉに付着する。このとき、切離部３は開口部２の右斜め前側に配置されるため、図７に示すように使用者の尿が付着した切離部３が使用者の視界に入ることや、使用者が男性である場合に切離部３と使用者の身体が接触するといった使用者の不快を軽減することができる。
【００５４】
次に、使用者は、切離部３が垂下されて形成された開口部２を通して排便を行う。そして、トイレットペーパで尻を拭き、使用したトイレットペーパを便器内へ落とす。
【００５５】
最後に、使用者は、起立して臀部Ｄを便座シートＳから離し、洗浄水を流す。すると、便器内面Ｉに付着した切離部３が洗浄水により引き込まれ、引き込まれた切離部３が垂下用連結部３１１を介してシート本体１を引き込むため、便座シートＳを便座Ｔから自動的に排出することができる。このため、使用者は、快適かつ衛生的に便座Ｔを利用することが可能となる。
【００５６】
なお、図４から図８までにおいて、シート本体１が平らな板状に表記されているが、これは説明の便宜上のものであって、実際には、シート本体１の周縁部が便座Ｔの外側の縁部に沿って下方に折曲している。
【００５７】
なお、上記実施形態では、切離部３は、シート本体１から切り抜かれることにより開口部２と同大同形に形成されているとしたが、同大同形に形成されなくてもよい。
【００５８】
また、切離部３は、平面視ハート形状に形成されているとしたが、平面視ハート形状に形成されなくてもよい。
【００５９】
また、垂下用連結部３１１は、右斜め前側の前側縁部３１に設けられるとしたが、左斜め前側の前側縁部３１に設けられてもよいし、垂下用連結部３１１が設けられなくてもよい。
【００６０】
また、垂下用連結部３１１は、長さ方向に沿ってミシン目が形成されているとしたが、必ずしもミシン目が形成されなくてもよい。
【００６１】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６２】
１…シート本体
１１…右側中央部
１２…左側中央部
１３…後方部
２…開口部
２１…内縁部
３…切離部
３１…前側縁部
３１１…垂下用連結部
３２…後側縁部
３２３…切離用連結部
３３…前端部
３３１…最前端
Ｓ…便座
Ｉ…便器内面
Ｄ…臀部
ＴＨ…太もも
【要約】
【課題】シート本体と切離部を自動的に切り離すことができる便座シートを提供することを目的とする。
【解決手段】便座シートＳは、シート本体１と、シート本体１の中央部に形成された開口部２と、該開口部２の内縁部２１から切り離される切離部３とを備え、切離部３は、開口部２の右斜め後側および／または左斜め後側の内縁部２１においてシート本体１に連結された切離用連結部３２３を備える。これによれば、切離部３が事前に切り離されることなく便座シートＳが便座Ｔに載置された後、シート本体１の後方部１３が便座Ｔに座る使用者の臀部Ｄから後方への圧力を受けることにより、切離用連結部３２３が開口部２の内縁部２１から切断されるため、シート本体１から切離部３を自動的に切り離すことができる。
【選択図】図１【図１】
0005665248.tif 000002
【図２】
0005665248.tif 000003
【図３】
0005665248.tif 000004
【図４】
0005665248.tif 000005
【図５】
0005665248.tif 000006
【図６】
0005665248.tif 000007
【図７】
0005665248.tif 000008
【図８】
0005665248.tif 000009